(57)【要約】【課題】空気調和機と空気清浄機との協調を図り、室内の快適性を向上させる。【解決手段】空気調和機１２に対する空気清浄機１３の位置情報を取得し、空気調和機１２の運転情報を取得する。そして、空気清浄機１３の位置情報、及び空気調和機１２の運転情報に応じて、空気清浄機１３の排気を上方排気系統３４又は前方排気系統３５で切り替える。【選択図】図１
2019095117.tif 000002
【特許請求の範囲】
【請求項１】
室内の空気調和を行なう空気調和機と、
上方から排気する上方排気系統、及び前方から排気する前方排気系統を有し、何れか一方から清浄化した空気を室内に排気する空気清浄機と、
前記空気調和機に対する前記空気清浄機の位置情報を取得する位置情報取得部と、
前記空気調和機の運転情報を取得する運転情報取得部と、
前記位置情報取得部で取得した前記空気清浄機の位置情報、及び前記運転情報取得部で取得した前記空気調和機の運転情報に応じて、前記空気清浄機の排気系統を前記上方排気系統又は前記前方排気系統のいずれか一方に切り替える切替制御部と、を備えることを特徴とする空気調和システム。
【請求項２】
前記切替制御部は、
前記空気調和機が前方に調和空気を吹き出している場合、前記空気清浄機が前記空気調和機の前方に位置するときには、前記空気清浄機の排気を前記前方排気系統に切り替え、前記空気清浄機が前記空気調和機の下方に位置するときには、前記空気清浄機の排気を前記上方排気系統に切り替え、
前記空気調和機が下方に調和空気を吹き出している場合、前記空気清浄機が前記空気調和機の前方に位置するときには、前記空気清浄機の排気を前記上方排気系統に切り替え、前記空気清浄機が前記空気調和機の下方に位置するときには、前記空気清浄機の排気を前記前方排気系統に切り替えることを特徴とする請求項１に記載の空気調和システム。
【請求項３】
前記位置情報取得部は、
前記空気清浄機が前記空気調和機の前方及び下方のどちらに位置するかを、ユーザによって入力された位置情報から判定することを特徴とする請求項１又は２に記載の空気調和システム。
【発明の詳細な説明】
【技術分野】
【０００１】
本発明は、空気調和システムに関するものである。
【背景技術】
【０００２】
特許文献１では、空気清浄機の気流が空気調和機の気流を妨げてしまうことを抑制するために、空気調和機と空気清浄機とを連動させ、空気調和機の運転中は空気清浄機の運転を弱めることを提案している。
【先行技術文献】
【特許文献】
【０００３】
【特許文献１】特開２０１１−２７３５４号公報
【発明の概要】
【発明が解決しようとする課題】
【０００４】
空気清浄機の運転を弱めると、室内の快適性が抑制されてしまう可能性がある。
本発明の課題は、空気調和機と空気清浄機との協調を図り、室内の快適性を向上させることである。
【課題を解決するための手段】
【０００５】
本発明の一態様に係る空気調和システムは、室内の空気調和を行なう空気調和機と、上方から排気する上方排気系統、及び前方から排気する前方排気系統を有し、何れか一方から清浄化した空気を室内に排気する空気清浄機と、前記空気調和機に対する前記空気清浄機の位置情報を取得する位置情報取得部と、前記空気調和機の運転情報を取得する運転情報取得部と、前記位置情報取得部で取得した前記空気清浄機の位置情報、及び前記運転情報取得部で取得した前記空気調和機の運転情報に応じて、前記空気清浄機の排気系統を前記上方排気系統又は前記前方排気系統のいずれか一方に切り替える切替制御部と、を備える。
【発明の効果】
【０００６】
本発明によれば、空気清浄機の位置情報と空気調和機の運転情報とに応じて、空気清浄機の排気系統が上方排気系統又は前方排気系統のいずれか一方に切り替わるので、空気調和機との協調を図り、室内の快適性を向上させることができる。
【図面の簡単な説明】
【０００７】
【図１】空気調和システムを示す図である。
【図２】空気清浄機の模式図である。
【図３】切替制御処理を示すフローチャートである。
【図４】空気調和機が調和空気を前方に吹き出している状態を示す図である。
【図５】空気調和機が調和空気を下方に吹き出している状態を示す図である。
【発明を実施するための形態】
【０００８】
以下、本発明の実施形態を図面に基づいて説明する。なお、各図面は模式的なものであって、これらは現実のものと異なる場合がある。また、以下の実施形態は、本発明の技術的思想を具体化するための装置や方法を例示するものであり、構成が下記のものだけに限定されることはない。すなわち、本発明の技術的思想は、特許請求の範囲に記載された技術的範囲内において、種々の変更を加えることができる。
【０００９】
《実施形態》
《構成》
図１は、本発明による空気調和システムを示す図である。
空気調和システム１１は、室内の空気調和を行なう空気調和機１２と、室内の空気清浄を行なう空気清浄機１３と、を備える。
空気調和機１２は、コントローラ２１と、通信部２２と、吹出口２３と、風向板２４と、を備える。
コントローラ２１は、マイクロコンピュータで構成される。コントローラ２１は、通信部２２を介して空気清浄機１３から運転情報要求を受信したときに、通信部２２を介して空気調和機１２の運転情報を空気清浄機１３へ送信する。また吹出口２３から調和空気を吹き出させ、風向板２４の角度位置を制御し調和空気の吹出し方向を変更する。
【００１０】
空気清浄機１３は、コントローラ３１と、通信部３２と、操作入力部３３と、上方排気系統３４と、前方排気系統３５と、を備える。
コントローラ３１は、マイクロコンピュータで構成される。コントローラ３１は、位置情報取得部３６と、運転情報取得部３７と、切替制御部３８と、を備える。
位置情報取得部３６は、操作入力部３３を介してユーザから空気清浄機１３の位置情報が入力されたときに、空気清浄機１３が空気調和機１２の前方及び下方のどちらにあるかを判定する。
【００１１】
運転情報取得部３７は、操作入力部３３を介してユーザから空気調和機１２との連動制御要求があるときに、通信部３２を介して運転情報要求を空気調和機１２へ送信し、空気調和機１２の運転情報を受信する。
切替制御部３８は、位置情報取得部３６で取得した位置情報、及び運転情報取得部３７で取得した運転情報に応じて、空気清浄機１３の排気を上方排気系統３４又は前方排気系統３５のいずれか一方に切り替える。
操作入力部３３は、ユーザが操作可能なスイッチやタッチパネルで構成され、空気清浄機１３の位置情報、及び空気調和機１２との連動要求を入力できる構成となっている。操作入力部３３は、空気清浄機１３を遠隔操作可能なリモコンに搭載されてもよい。
尚、空気清浄機１３の位置情報については、例えば空気清浄機１３が空気調和機１２の前方にあるのか下方にあるのかをユーザが判断し、操作入力部３３から選択的に入力させることで取得すればよい。
【００１２】
図２は、空気清浄機の模式図である。
上方排気系統３４は、前方吸気口４１と、上方排気口４２と、前方フィルタ４３と、前方ファン４４と、を備える。前方ファン４４が駆動されると、前方吸気口４１から室内空気が吸気され、前方フィルタ４３によって粉塵、花粉、ハウスダスト等が除去され、上方排気口４２から排気される。
前方排気系統３５は、上方吸気口５１と、前方排気口５２と、上方フィルタ５３と、上方ファン５４と、を備える。上方ファン５４が駆動されると、上方吸気口５１から室内空気が吸気され、上方フィルタ５３によって粉塵、花粉、ハウスダスト等が除去され、前方排気口５２から排気される。
【００１３】
次に、コントローラ３１で実行される切替制御処理について説明する。
図３は、切替制御処理を示すフローチャートである。
ステップＳ１０１では、ユーザから空気調和機１２との連動要求があるか否かを判定する。ここで、連動要求があるときには（Ｓ１０１−Ｙｅｓ）、コントローラ３１の処理はステップＳ１０２に移行する。一方、連動要求がないときには（Ｓ１０１−Ｎｏ）、コントローラ３１の処理は所定のメインプログラムの処理に復帰する。
ステップＳ１０２では、空気調和機１２に運転情報を要求する。運転情報とは、風向板２４の上下位置である。
ステップＳ１０３では、空気調和機１２の運転情報を受信したか否かを判定する。ここで、運転情報を受信しているときには（Ｓ１０３−Ｙｅｓ）、コントローラ３１の処理はステップＳ１０４に移行する。一方、運転情報を受信していないときには（Ｓ１０３−Ｎｏ）、運転情報を受信するまでコントローラ３１は待機する。
【００１４】
ステップＳ１０４では、空気調和機１２に対する空気清浄機１３の位置情報を取得しているか否かを判定する。ここで、位置情報を取得しているときには（Ｓ１０４−Ｙｅｓ）、コントローラ３１の処理はステップＳ１０６に移行する。一方、位置情報を取得していないときには（Ｓ１０４−Ｎｏ）、コントローラ３１の処理はステップＳ１０５に移行する。
ステップＳ１０５では、例えば表示や音声案内によってユーザに位置情報を入力するよう空気清浄機１３が要求し、位置情報を取得するまでコントローラ３１は待機する。
ステップＳ１０６では、空気調和機１２が調和空気を前方へ吹き出しているか否かを判定する。これは風向板２４の角度位置によって判断し、可動範囲の中央よりも上方側にあれば前方へ調和空気を吹き出しているものと判断し、可動範囲の中央よりも下方側にあれば下方へ調和空気を吹き出しているものと判断する。ここで、空気調和機１２が前方へ調和空気を吹き出しているときには（Ｓ１０６−Ｙｅｓ）、コントローラ３１の処理はステップＳ１０７に移行する。一方、空気調和機１２が下方へ調和空気を吹き出しているときには（Ｓ１０６−Ｎｏ）、コントローラ３１の処理はステップＳ１１０に移行する。
【００１５】
ステップＳ１０７では、ユーザが操作入力部３３から入力した空気清浄機１３の位置情報に基づき、空気清浄機１３が空気調和機１２の前方に位置するか否かを判定する。ここで、空気清浄機１３が空気調和機１２の前方に位置するときには（Ｓ１０７−Ｙｅｓ）、コントローラ３１の処理はステップＳ１０８に移行する。一方、空気清浄機１３が空気調和機１２の下方に位置するときには（Ｓ１０７−Ｎｏ）、コントローラ３１の処理はステップＳ１０９に移行する。
ステップＳ１０８では、空気清浄機１３の排気を前方排気系統３５に切り替えてから、コントローラ３１の処理は所定のメインプログラムに復帰する。
ステップＳ１０９では、空気清浄機１３の排気を上方排気系統３４に切り替えてから、コントローラ３１の処理は所定のメインプログラムに復帰する。
【００１６】
ステップＳ１１０では、空気清浄機１３が空気調和機１２の前方に位置するか否かを判定する。ここで、空気清浄機１３が空気調和機１２の前方に位置するときには（Ｓ１１０−Ｙｅｓ）、コントローラ３１の処理はステップＳ１１１に移行する。一方、空気清浄機１３が空気調和機１２の下方に位置するときには（Ｓ１１０−Ｎｏ）、コントローラ３１の処理はステップＳ１１２に移行する。
ステップＳ１１１では、空気清浄機１３の排気を上方排気系統３４に切り替えてから、コントローラ３１の処理は所定のメインプログラムに復帰する。
ステップＳ１１２では、空気清浄機１３の排気を前方排気系統３５に切り替えてから、コントローラ３１の処理は所定のメインプログラムに復帰する。
上記が切替制御処理である。
【００１７】
《作用》
次に、実施形態の主要な作用について説明する。
空気清浄機１３の気流が空気調和機１２の気流を妨げてしまうことを抑制するために、空気調和機１２と空気清浄機１３とを連動させ、空気調和機１２の運転中は空気清浄機１３の運転を弱めることが考えられる。しかしながら、空気清浄機１３の運転を弱めると、室内の快適性が抑制されてしまう可能性がある。
そこで、空気清浄機１３に、上方から排気する上方排気系統３４と、前方から排気する前方排気系統３５と、を設ける。そして、空気調和機１２の運転情報を取得し（Ｓ１０３−Ｙｅｓ）、空気調和機１２に対する空気清浄機１３の位置情報を取得する（Ｓ１０４−Ｙｅｓ）。また、空気調和機１２の運転情報、及び空気清浄機１３の位置情報に応じて、空気清浄機１３の排気を上方排気系統３４又は前方排気系統３５のいずれか一方に切り替える。
【００１８】
図４は、空気調和機が調和空気を前方に吹き出している状態を示す図である。
図中の（ａ）は空気清浄機１３が空気調和機１２の前方に位置する状態を示し、（ｂ）は空気清浄機１３が空気調和機１２の下方に位置する状態を示しており、何れも室内を側方から見た図である。空気調和機１２が前方に吹き出している場合（Ｓ１０６−Ｙｅｓ）、空気清浄機１３が空気調和機１２の前方に位置するときには（Ｓ１０７−Ｙｅｓ）、空気清浄機１３の排気を前方排気系統３５に切り替える（Ｓ１０８）。一方、空気清浄機１３が空気調和機１２の下方に位置するときには（Ｓ１０７−Ｎｏ）、空気清浄機１３の排気を上方排気系統３４に切り替える（Ｓ１０９）。
【００１９】
図５は、空気調和機が調和空気を下方に吹き出している状態を示す図である。
図中の（ａ）は空気清浄機１３が空気調和機１２の前方に位置する状態を示し、（ｂ）は空気清浄機１３が空気調和機１２の下方に位置する状態を示しており、何れも室内を側方から見た図である。空気調和機１２が調和空気を下方に吹き出している場合（Ｓ１０６−Ｎｏ）、空気清浄機１３が空気調和機１２の前方に位置するときには（Ｓ１１０−Ｙｅｓ）、空気清浄機１３の排気を上方排気系統３４に切り替える（Ｓ１１１）。一方、空気清浄機１３が空気調和機１２の下方に位置するときには（Ｓ１１０−Ｎｏ）、空気清浄機１３の排気を前方排気系統３５に切り替える（Ｓ１１２）。
【００２０】
上記のように、空気調和機１２と空気清浄機１３の位置情報と空気調和機１２の運転情報とに応じて、空気清浄機１３の排気が上方排気系統３４又は前方排気系統３５に切り替える。これにより空気清浄機１３の気流が空気調和機１２の気流を阻害することがなくなり、室内の快適性を向上させることができる。すなわち、快適な温度と清浄な環境を提供することができる。また、室内の空気を循環させることで、空気清浄機１３の運転を弱める場合と比較して、室内の温度が均一となり、空気調和機１２の運転効率を向上させることができる。
また、空気清浄機１３が空気調和機１２の前方及び下方のどちらにあるかを、ユーザによって入力された位置情報に基づいて位置情報取得部３６が判定するので、空気清浄機１３の位置情報を容易に且つ正確に取得することができる。
【００２１】
《変形例》
上記の実施形態では、空気調和機１２の運転情報として、風向板の上下位置を取得しているが、本発明はこれに限定されるものではない。冷房のときには風向板が上向きになり、暖房のときには風向板が下向きになるため、空気調和機１２の運転情報として、冷房運転であるか暖房運転であるかを取得し、そこから空気調和機１２の調和空気の吹出方向を判断してもよい。
上記の実施形態では、上方排気系統３４は前方から吸気する前方吸気口４１を備え、前方排気系統３５は上方から吸気する上方吸気口５１を備えているが、本発明はこれに限定されるものではない。吸気の向きは任意でよいため、側方から吸気する構成としてもよい。
【００２２】
上記の実施形態では、位置情報取得部３６、運転情報取得部３７、及び切替制御部３８が空気清浄機１３に搭載されているが、本発明はこれに限定されるものではない。例えば、空気調和機１２で、位置情報と運転情報とを取得し、これらに応じて排気系統をどちらに切り替えるかを判断し、切替指令を空気清浄機１３に出力するようにしてもよい。さらには、スマートフォンで情報を取得し、判断を行ない、指令を出力してもよい。
上記の実施形態では、空気清浄機１３の位置情報をユーザが入力しているが、本発明はこれに限定されるものではない。例えば、ビーコン発信機を空気清浄機１３に取付け、空気調和機１２が空気清浄機１３の位置を検出するようにしてもよい。
【００２３】
以上、限られた数の実施形態を参照しながら説明したが、権利範囲はそれらに限定されるものではなく、上記の開示に基づく実施形態の改変は、当業者にとって自明のことである。
【符号の説明】
【００２４】
１１  空気調和システム
１２  空気調和機
１３  空気清浄機
２１  コントローラ
２２  通信部
３１  コントローラ
３２  通信部
３３  操作入力部
３４  上方排気系統
３５  前方排気系統
３６  位置情報取得部
３７  運転情報取得部
３８  切替制御部
４１  前方吸気口
４２  上方排気口
４３  前方フィルタ
４４  前方ファン
５１  上方吸気口
５２  前方排気口
５３  上方フィルタ
５４  上方ファン
【図１】
2019095117.tif 000003
【図２】
2019095117.tif 000004
【図３】
2019095117.tif 000005
【図４】
2019095117.tif 000006
【図５】
2019095117.tif 000007